(57)【要約】【課題】呼吸運動や上肢の日常動作および重力等に伴う乳房の動きに、乳房カップ部を追従させる機能を有するブラジャー等の乳房カップ部を有する衣類を提供する。【解決手段】乳房カップ部３、前面土台部１及び後面土台部２等から構成されるブラジャー等の乳房カップ部を有する衣類の前面土台部１に、伸縮機能を有する伸縮素材を備える構造を特徴とし、乳房の動きに乳房カップ部を追従させる機能を有するブラジャー等の乳房カップ部を有する衣類。【選択図】  図１
0003111836.tif 000002
【実用新案登録請求の範囲】
【請求項１】
乳房カップ部を有する衣類で、乳房の動きに乳房カップ部を追従させる機能を備える目的で、前面土台部に伸縮機能を有する伸縮素材を備えたことを特徴とする、ブラジャー等の乳房カップ部を有する衣類。
【請求項２】
乳房カップ部を有する衣類の、後面土台部に水平方向への非伸縮機能を有する非伸縮素材を備えたことを特徴とする、請求項１記載のブラジャー等の乳房カップ部を有する衣類。
【請求項３】
乳房カップ部を有する衣類の、乳房カップ部から後面土台部へ垂直方向への非伸縮機能を有する非伸縮素材の肩紐を備えたことを特徴とする、請求項１および請求項２記載のブラジャー等の乳房カップ部を有する衣類。
【請求項４】
乳房カップ部を有する衣類の、乳房カップ部と前面土台部の間に乳房支持具を備え、この乳房支持具外側部上端と乳房カップ部の外側部上端から後面土台部へ上記の肩紐を備えたことを特徴とする、請求項１および請求項２および請求項３記載のブラジャー等の乳房カップ部を有する衣類。
【考案の詳細な説明】
【技術分野】
【０００１】本考案は、ブラジャー等の乳房カップ部を有する衣類に関するもので、特に、呼吸運動や上肢の日常動作および重力等に伴う乳房の動きに、乳房カップ部を追従させる機能を備えたブラジャー等の乳房カップ部を有する衣類に関するものである。
【背景技術】
【０００２】体幹において、呼吸運動や上肢の日常動作および重力等の影響を受け、最も移動するのが乳房である。しかし、従来のブラジャー等の乳房カップ部を有する衣類では、乳房の動きに乳房カップ部を追従させるために肝要である、前面土台部の伸縮性が不足していた。
【考案の開示】
【考案が解決しようとする課題】
【０００３】このため、従来のブラジャー等の乳房カップ部を有する衣類では、呼吸運動や上肢の日常動作および重力等に伴う乳房の動きに、乳房カップ部を追従させられないという問題があった。本考案は、呼吸運動や上肢の日常動作および重力等に伴う乳房の動きに、乳房カップ部を追従させる機能を有するブラジャー等の乳房カップ部を有する衣類を提供することを目的とする。
【課題を解決するための手段】
【０００４】そこで、乳房カップ部、前面土台部及び後面土台部等から構成されるブラジャー等の乳房カップ部を有する衣類の乳房カップ部を、呼吸運動や上肢の日常動作および重力等に伴う乳房の動きに追従させるため、前面土台部に伸縮機能を有する伸縮素材を備える構造とし、乳房カップ部を追従させる機能を有するブラジャー等の乳房カップ部を有する衣類を提供する。
【図１】
【０００５】ならびに、上記の乳房カップ部を有する衣類の後面土台部に、水平方向への非伸縮機能を有する非伸縮素材を備える構造とし、上記の乳房カップ部を有する衣類の乳房カップ部を、呼吸運動や上肢の日常動作および重力等に伴う乳房の動きに追従させるための機能を改善した、乳房カップ部を追従させる機能を有するブラジャー等の乳房カップ部を有する衣類を提供する。
【図１】
【０００６】ならびに、上記の乳房カップ部を有する衣類の乳房カップ部から後面土台部へ、垂直方向への非伸縮機能を有する非伸縮素材の肩紐を備え、上記の乳房カップ部を有する衣類の乳房カップ部を、呼吸運動や上肢の日常動作および重力等に伴う乳房の動きに追従させるための機能や抗重力機能を改善した、乳房カップ部を追従させる機能を有するブラジャー等の乳房カップ部を有する衣類を提供する。
【図２】
【０００７】ならびに、上記のブラジャー等の乳房カップ部を有する衣類の乳房カップ部と前面土台部の間に、乳房支持具を備え、この乳房支持具外側部上端と乳房カップ部の外側部上端から後面土台部へ上記の肩紐を備え、上記ブラジャー等の乳房カップ部を有する衣類の乳房カップ部を、呼吸運動や上肢の日常動作および重力等に伴う乳房の動きに追従させるための機能や抗重力機能に伴う、乳房カップ部の変形を改善した、乳房カップ部を追従させる機能を有するブラジャー等の乳房カップ部を有する衣類を提供する。
【図３】
【考案の効果】
【０００８】本考案のブラジャー等の乳房カップ部を有する衣類は、呼吸運動や上肢の日常動作および重力等に伴う乳房の動きに、乳房カップ部を追従させる機能を有するブラジャー等の乳房カップ部を有する衣類を提供できる。
【考案を実施するための最良の形態】
【０００９】以下、図面を用い本考案の実施例を説明するが、本考案はこれに限定されるものではない。【００１０】
【図３】
は本考案をブラジャーに用いた一実施例である。乳房は自ら動く機能を有しないが、体幹上部に位置するため、呼吸運動や上肢の日常動作および重力等の影響を受けて、体幹上部で最も移動、またその形状や組織等により外圧等で容易に変形する器官である。ゆえに、ブラジャーの機能の一つとして求められる、乳房の動きを美しく表現する役割において、乳房の動きに対する乳房カップ部３を追従させる機能は重要となる。そこで乳房カップ部３を備え、前面土台部１に伸縮機能を有する伸縮素材を備え、さらに後面土台部２に水平方向への非伸縮機能を有する非伸縮素材を備えた。さらに、後面土台部２の留め具取り付け部２ｂに留め具４を備えた。さらに、乳房カップ部３と前面土台部１の間に乳房支持具６を備え、この乳房支持具６の外側部上端６ａと乳房カップ部３の外側部上端３ａから、後面土台部２の上縁２ａへ、垂直方向への非伸縮機能を有する肩紐５を備えた。乳房カップ部３は装着者に適切な乳房形状とし、さらに、非装着時の前面土台部１と後面土台部２の長さの和が、装着時形状の水平断で、装着者の呼気時の最小アンダーバスト値を得られる位置に留め具４を備え、前面土台部１の水平方向への伸縮機能を、装着者が吸気時に得られる最大アンダーバスト値において、過負荷と感じない伸縮力とした。次に、装着者が左右の上肢を下げて呼気時に得られるアンダーバスト位置を乳房支持具６の装着位置とし、装着時に後面土台部２を引き上げず、前面土台部１の垂直方向への伸縮性に影響を与えない最短距離を肩紐５の全長とした。さらに、前面土台部１の垂直方向への伸縮機能を、装着者の上肢挙上動作等の肩位置上昇に追従し、過負荷と感じない伸縮力とした。装着法は両腕に肩紐５を通し、四つ這い姿勢でのアンダーバスト位置に、乳房支持具６を装着できるように乳房を持ち上げ、乳房カップ部３で乳房を覆い、前面土台部１を伸張させ留め具４を留める。あるいは、両腕に肩紐５を通し、乳房カップ部３で乳房を覆い、前面土台部１を伸張させ留め具４を留めた後に、上記アンダーバスト位置に乳房支持具６を装着できるように乳房を持ち上げる。その後、乳房カップ部３内で乳房が安定するよう、前面土台部１や肩紐５ならびに後面土台部２を適正な位置に調節した。このように、胸郭の呼吸運動等によって生じる胸囲増減の水平方向の動きは、前面土台部１の水平方向の伸縮機能で対応し、上肢の日常動作や重力等に伴う垂直方向の動きには、前面土台部１の垂直方向の伸縮機能で対応することにより、呼吸運動や上肢の日常動作および重力等に伴う乳房の動きに、乳房カップ部３を追従させる機能が得られた。
【図面の簡単な説明】
【００１１】
【図１】本考案の一実施例であるブラジャーの正面図である。
【図２】本考案の他の実施例であるブラジャーの正面図である。
【図３】本考案の他の実施例であるブラジャーの正面図である。
【符号の説明】
【００１２】１  前面土台部
２  後面土台部
２ａ  後面土台部の上縁
２ｂ  留め具取り付け部
３  乳房カップ部
３ａ  乳房カップ部の外側部上端
４  留め具
５  肩紐
６  乳房支持具
６ａ  乳房支持具の外側部上端
【図１】
0003111836.tif 000003
【図２】
0003111836.tif 000004
【図３】
0003111836.tif 000005